(57)【要約】［課題］        包帯をより衛生的に簡便に早く巻くことができる包帯保管ケースを提供する。［解決手段］    市販のロール状包帯、又は円筒体に巻いたロール状包帯を出し入れするための開口部と、該開口部を閉塞するための蓋とからなる包帯保管ケースであって、該包帯保管ケース本体には、前記ロール状包帯を収納した状態で回転させながらロール状包帯端部を引き出すことができるように形成された引き出し口を設けたことを特徴とする包帯保管ケース。【選択図】      図２
2004209194.tif 000002
【特許請求の範囲】
【請求項１】
市販のロール状包帯を収納するための収納部と、該ロール状包帯を出し入れするための開口部と、該開口部を閉塞するための蓋とからなる包帯保管ケースであって、該包帯保管ケース本体には、前記ロール状包帯を収納した状態で回転させながらロール状包帯端部を引き出すことができるように形成された引き出し口を設けたことを特徴とする包帯保管ケース。
【請求項２】
円筒軸に巻いたロール状包帯と、該ロール状包帯を収納するための収納部と、該ロール状包帯を出し入れするための開口部と、該開口部を閉塞するための蓋とからなる包帯保管ケースであって、前記収納部には、前記ロール状包帯の円筒軸に差し込むための軸と、該軸に差した状態で回転させながら前記ロール状包帯端部を引き出すための引き出し口を設けたことを特徴とする包帯保管ケース。
【請求項３】
市販のロール状包帯を収納するための収納部と、前記ロール状包帯を出し入れするための開口部と、該開口部を閉塞するための蓋とからなる包帯保管ケースであって、該包帯保管ケース本体には、前記ロール状包帯を収納した状態で回転させながら前記ロール状包帯端部を引き出すことができるように形成された引き出し口と、収納するロール状包帯の幅によって、前記包帯保管ケース本体の幅を調節できるように形成された幅調節機構を備えたことを特徴とする包帯保管ケース。
【請求項４】
円筒軸に巻いたロール状包帯と、該ロール状包帯を収納するための収納部と、該ロール状包帯を出し入れするための開口部と、該開口部を閉塞するための蓋とからなる包帯保管ケースであって、前記収納部には、前記ロール状包帯の円筒軸に差し込むための軸と、この軸に差した状態で回転させながら前記ロール状包帯端部を引き出すための引き出し口と、前記収納部に収納するロール状包帯の幅によって、前記包帯保管ケース本体の幅を調節できるように形成された幅調節機構を備えたことを特徴とする包帯保管ケース。
【発明の詳細な説明】
【０００１】
［発明の属する技術分野］
この発明は、医師、看護師等の医療従事者ならびに一般使用者が、包帯を簡単で衛生的に巻くことができるために使用する専用のケースに関するものである。
【０００２】
［従来の技術］
従来、包帯を巻くときは包帯を素手で持って、指と手のひらを使って慎重に巻いていた。
【０００３】
［発明が解決しようとする課題］
これは次のような欠点があった。
イ．指と手のひらで少しずつ慎重に巻くため、時間もかかり、落下しやすく神経も使っていた。
ロ．落下したとき、よく転がってしまい、それと同時に長く巻きがほどけて不衛生だった。
ハ．医療機関では仕入れが個別包装になっていないため、衛生的に保管できるとは言いがたかった。
ニ．使用者が素手で触るため、衛生的とは言えなかった。
本発明は、これらの欠点を解決するために発明されたものである。
【０００４】
［課題を解決するための手段］
市販のロール状包帯を収納するための収納部と、該ロール状包帯を出し入れするための開口部と、該開口部を閉塞するための蓋とからなる包帯保管ケースであって、該包帯保管ケース本体には、前記ロール状包帯を収納した状態で回転させながらロール状包帯端部を引き出すことができるように形成された引き出し口を設けたことを特徴とする包帯保管ケース。
【０００５】
［発明の実施の形態］
以下、本発明の実施の形態を説明する。
（イ）図１に示すように、円筒状のケース本体（１ａ）に開口部（４ａ）並びに収納部（５ａ）を設ける。
（ロ）ケース本体（１ａ）の側面に縦長の引き出し口（３ａ）と、この引き出し口（３ｃ）の内側に縦長の突起（６ａ）を設ける。
（ハ）開口部（４ａ）を閉塞するための蓋（２ａ）を設ける。
発明は以上の構成により成り立っている。
本発明を使用するときは、端が引き出し口（３ａ）から少し出るように、市販のロール状包帯を開口部（４ａ）から入れ、蓋（２ａ）で閉塞する。片方の手で包帯の端を持ち、これを支点としながらケース本体（１）を持ち、力を加減しながら引くことで、包帯が人体に早く巻ける。
次に第２実施の形態について説明する。
（イ）図２に示すように、円筒状のケース本体（１ｂ）に開口部（４ｂ）、収納部（５ｂ）を設ける。
（ロ）収納部（５ｂ）の中心に円筒軸（８ａ）を設け、円筒体（１３ａ）に巻いたロール状包帯（７ａ）を差し込む。
（ハ）ケース本体（１ｂ）側面に縦長の引き出し口（３ｂ）を設け、開口部（４ｂ）を閉塞するための蓋（２ｂ）を装着する。
発明は以上の構成により成り立っている。
本発明を使用するときは、片方の手で包帯の端を持ち、これを支点としながらケース本体（１）を持ち、力を加減しながら引くことで、包帯が人体に早く巻ける。円筒軸があることによって、使用時に包帯が収納部（５ｂ）で安定して回転し、また、包帯が必要以上の回転をしないように円筒軸（８ａ）の先端部に弾力を持たせた突起（６ｅ）と切り込み部（１４ａ）を両方又はどちらか一方を設けてもよいものとする。
次に第３実施の形態について説明する。
（イ）図６に示すように、円筒状のケース本体（１ｃ）に開口部（４ｃ）並びに収納部（５ｃ）設ける。
（ロ）ケース本体（１ｃ）の側面に縦長の引き出し口（３ｃ）と、この引き出し口（３ｃ）の内側に縦長の突起（６ｂ）を設ける。
（ハ）ケース本体（１ｃ）の側面に、この引き出し口（３ｃ）を塞ぐための縦長の回動扉（１４ａ）を設ける。
（ニ）開口部（１ｃ）を閉塞するための蓋（２ｃ）を設ける。また蓋（２ｃ）の内面中心には軸押部（９ａ）を設ける。
発明は以上の構成により成り立っている。
本発明を使用するときは、市販のロール状包帯を収納部（５ｃ）に収納する際、包帯の端が引き出し口（３ｃ）から出しやすいように回動扉（１４ａ）を開け、包帯収納後閉める。開口部（４ｃ）を蓋（２ｃ）で閉塞する。蓋（２ｃ）の閉塞により包帯が引き出される際、収納部（５ｃ）で安定して回転するよう軸押部（９ａ）が包帯中心部を押さえる。片方の手で包帯の端を持ち、これを支点としながらケース本体（１）を持ち、力を加減しながら引くことで、包帯が人体に早く巻ける。
次に第４実施の形態について説明する。
（イ）図８に示すように、円筒状のケース本体（１ｄ）の上に組み合わせ式のスライド本体（１０ａ）を設け、スライド本体（１０ａ）に蓋（２ｄ）を装着する。
（ロ）ケース本体（１ｄ）の内壁上部に凹部（１２ａ）を縦に３個所設け、スライド本体（１０ａ）の外壁下部に、前記凹部（１２ａ）に対応する位置に、凸部（１１ａ）を１箇所設ける。
（ハ）ケース本体（１ｄ）の側面に縦長の引き出し口（３ｅ）を設け、スライド本体（１０ａ）の側面にも縦長の引き出し口（３ｄ）を設ける。
（ニ）蓋（２ｄ）の内面中心に軸押部（９ａ）を設ける。
発明は以上の構成により成り立っている。
本発明を使用するときは、市販のロール状包帯の幅に合わせ、凸部（１１ａ）を適当な凹部（１２ａ）に合致させる。これによりケース本体（１ｄ）とスライド本体（１０ａ）を組み合わせ包帯の幅に合わせた保管ケースが出来る。また引き出し口（３ｄ）と（３ｅ）は１つの引き出し口となる。端が引き出し口から少しでるように包帯を開口部（４ｄ）から入れ、蓋（２ｄ）で閉塞する。蓋（２ｄ）の閉塞により包帯が収納部（５ｄ）で安定して回転するよう軸押部（９ｂ）が包帯中心部を押さえる。片方の手で包帯の端を持ち、これを支点としながらケース本体（１）を持ち、力を加減しながら引くことで、包帯が人体に早く巻ける。ケース本体（１ｄ）とスライド本体（１０ａ）を用いることで、幅の異なる市販の包帯も１つのケース本体で対応できるものである。
次に第５実施の形態について説明する。
（イ）図９に示すように、円筒状のケース本体（１ｅ）の上に組み合わせ式のスライド本体（１０ｂ）を設け、スライド本体（１０ｂ）に蓋（２ｅ）を装着する。
（ロ）収納部（５ｆ）の中心に、円筒体（１３ｂ）に巻いたロール状包帯（７ｂ）を差し込むための円筒軸（８ｂ）を設ける。
（ハ）ケース本体（１ｅ）の内壁上部に凹部（１２ｂ）を縦に３個所設け、スライド本体（１０ｂ）の外壁下部に凹部（１２ｂ）に対応する位置に、凸部（１１ｂ）を１箇所設ける。
（ニ）ケース本体（１ｅ）の側面に縦長の引き出し口（３ｇ）を設け、スライド本体（１０ｂ）の側面にも縦長の引き出し口（３ｆ）を設ける。
発明は、以上の構成よりなりたっている。
本発明を使用するときは、円筒軸に巻いたロール状包帯の幅に合わせ、凸部（１１ｂ）を適当な凹部（１２ｂ）に合致させる。これによりケース本体（１ｅ）とスライド本体（１０ｂ）を組み合わせ包帯の幅に合わせた保管ケースが出来る。また引き出し口（３ｆ）と（３ｇ）は１つの引き出し口となる。片方の手で包帯の端を持ち、これを支点としながらケース本体（１）を持ち、力を加減しながら引くことで、包帯が人体に早く巻ける。ケース本体（１ｅ）とスライド本体（１０ｂ）を用いることで、幅の異なるロール状包帯も１つのケース本体で対応できるものである。また円筒軸があることによって、使用時に包帯が収納部（５ｅ）で安定して回転し、また、包帯が必要以上の回転をしないように、円筒軸（８ｂ）の先端部に弾力をもたせた突起（６ｆ）と切り込み部（１４ｂ）を両方又はどちらか一方を設けてもよいものとする。
【０００６】
［発明の効果］
包帯端とケース本体をそれぞれ片手づつ持ち、ケース本体を力の加減により引くだけで、包帯が人体に手早くきれいに巻ける。つまり従来の様に指先を使って神経を使いながら時間をかけて包帯を巻く必要がないので、作業が単純化し、時間の短縮も図れる。落下もしにくい。もしケース本体が落下しても従来の様に包帯がケースに入っていないものに比べて転がりにくい。また、保管ケース本体の幅を調節できるようにすることで幅の異なる包帯も収納することができる。
さらに使用者が素手で触らないので、衛生的である。市販で流通している包帯も使用でき、そのままケースに入れて保存できるため、保管面でも衛生的である。
【図面の簡単な説明】
【図１】第１実施の形態の斜視図
【図２】第２実施の形態の分解斜視図
【図３】第２実施の形態の側面図
【図４】第２実施の形態の断面図
【図５】第３実施の形態の斜視図
【図６】第３実施の形態の斜視図
【図７】第３実施の形態の断面図
【図８】第４実施の形態の分解斜視図
【図９】第５実施の形態の分解斜視図
【図１０】第６実施の形態の斜視図
【図１１】第６実施の形態の断面図
【符号の説明】
１ａ，１ｂ，１ｃ，１ｄ，１ｅ，１ｆ，ケース本体
２ａ，２ｂ，２ｃ，２ｄ，２ｅ，２ｆ，蓋
３ａ，３ｂ，３ｃ，３ｄ，３ｅ，３ｆ，３ｇ，３ｈ，引き出し口
４ａ，４ｂ，４ｃ，４ｄ，４ｅ，４ｆ，開口部
５ａ，５ｂ，５ｃ，５ｄ，５ｅ，５ｆ，５ｇ，収納部
６ａ，６ｂ，６ｃ，６ｄ，６ｅ，６ｆ，突起
７ａ，７ｂ，ロール状包帯
８ａ，８ｂ，円筒軸
９ａ，９ｂ，軸押部
１０ａ，１０ｂ，スライド本体
１１ａ，１１ｂ，凸部
１２ａ，１２ｂ，凹部
１３ａ，１３ｂ，円筒体
１４ａ，１４ｂ，切り込み部
【図１】
2004209194.tif 000003
【図２】
2004209194.tif 000004
【図３】
2004209194.tif 000005
【図４】
2004209194.tif 000006
【図５】
2004209194.tif 000007
【図６】
2004209194.tif 000008
【図７】
2004209194.tif 000009
【図８】
2004209194.tif 000010
【図９】
2004209194.tif 000011
【図１０】
2004209194.tif 000012
【図１１】
2004209194.tif 000013